(57)【要約】  制御部は、正常領域においては、正常領域における、トルク、モータの回転速度、およびアクセル操作量の対応関係を示す通常マップにしたがってトルクを制御し、劣化領域においては、劣化領域における、トルク、回転速度、およびアクセル操作量の対応関係を示す抑制マップにしたがって、正常領域におけるトルクよりも抑制されるようにトルクを制御し、劣化領域になったと判定された場合に、劣化領域になったと判定された劣化判定時から劣化領域になった場合におけるトルクの制御の切り替えに要する時間である劣化時切替時間をかけて、通常マップにしたがったトルクの制御から、抑制マップにしたがったトルクの制御への切り替えを行う。
2019049337.tif 000002
【特許請求の範囲】
【請求項１】
充放電可能なバッテリと、
前記バッテリから供給された電力によって車輪を駆動するためのトルクを出力するモータと、
前記バッテリの充電状態が閾値より大きい正常領域から前記閾値以下の劣化領域になったか否かの判定または前記充電状態が前記劣化領域から前記正常領域に復帰したか否かの判定を行う劣化復帰判定部と、
ユーザのアクセル操作に応じて前記バッテリから前記モータに供給される電力を制御することで、前記モータから出力されるトルクを制御する制御部と、を備え、
前記制御部は、
前記正常領域においては、前記正常領域における、前記トルク、前記モータの回転速度、およびアクセル操作量の対応関係を示す通常マップにしたがって前記トルクを制御し、
前記劣化領域においては、前記劣化領域における、前記トルク、前記回転速度、および前記アクセル操作量の対応関係を示す抑制マップにしたがって、前記正常領域における前記トルクよりも抑制されるように前記トルクを制御し、
前記劣化領域になったと判定された場合に、前記劣化領域になったと判定された劣化判定時から前記劣化領域になった場合における前記トルクの制御の切り替えに要する時間である劣化時切替時間をかけて、前記通常マップにしたがった前記トルクの制御から、前記抑制マップにしたがった前記トルクの制御への切り替えを行うことを特徴とする電動車両。
【請求項２】
前記制御部は、前記正常領域に復帰したと判定された場合に、前記正常領域に復帰したと判定された復帰判定時から前記正常領域に復帰した場合における前記トルクの制御の切り替えに要する時間である復帰時切替時間をかけて、前記抑制マップにしたがった前記トルクの制御から、前記通常マップにしたがった前記トルクの制御への切り替えを行うことを特徴とする請求項１に記載の電動車両。
【請求項３】
前記復帰時切替時間は、前記劣化時切替時間と異なることを特徴とする請求項２に記載の電動車両。
【請求項４】
前記復帰時切替時間は、前記劣化時切替時間より短いことを特徴とする請求項３に記載の電動車両。
【請求項５】
前記制御部は、
前記劣化領域になったと判定された場合に、前記劣化判定時の前記回転速度および前記アクセル操作量に対応する前記通常マップ上のトルクである劣化時切替元トルクと、前記劣化判定時の前記回転速度および前記アクセル操作量に対応する前記抑制マップ上のトルクである劣化時切替先トルクとの差分を算出し、
前記算出された前記劣化時切替元トルクと前記劣化時切替先トルクとの差分に応じた長さの前記劣化時切替時間を設定し、
前記設定された劣化時切替時間をかけて前記劣化時切替元トルクから前記劣化時切替先トルクに切り替える制御を行うことを特徴とする請求項２に記載の電動車両。
【請求項６】
前記制御部は、
前記劣化時切替元トルクと前記劣化時切替先トルクとの差分を前記劣化時切替時間で除した値を係数とした一次関数にしたがった変化量で前記トルクを変化させる制御を行うことで、前記劣化時切替時間をかけて前記劣化時切替元トルクから前記劣化時切替先トルクに切り替える制御を行うことを特徴とする請求項５に記載の電動車両。
【請求項７】
前記制御部は、
前記正常領域に復帰したと判定された場合に、前記復帰判定時の前記回転速度および前記アクセル操作量に対応する前記抑制マップ上のトルクである復帰時切替元トルクと、前記復帰判定時の前記回転速度および前記アクセル操作量に対応する前記通常マップ上のトルクである復帰時切替先トルクとの差分を算出し、
前記算出された前記復帰時切替元トルクと前記復帰時切替先トルクとの差分に応じた長さの前記復帰時切替時間を設定し、
前記設定された復帰時切替時間をかけて前記復帰時切替元トルクから前記復帰時切替先トルクに切り替える制御を行うことを特徴とする請求項５に記載の電動車両。
【請求項８】
前記制御部は、
前記復帰時切替元トルクと前記復帰時切替先トルクとの差分を前記復帰時切替時間で除した値を係数とした一次関数にしたがった変化量で前記トルクを変化させる制御を行うことで、前記復帰時切替時間をかけて前記復帰時切替元トルクから前記復帰時切替先トルクに切り替える制御を行うことを特徴とする請求項７に記載の電動車両。
【請求項９】
前記劣化復帰判定部は、前記バッテリの状態を定期的に監視するバッテリ管理ユニットであることを特徴とする請求項２に記載の電動車両。
【請求項１０】
前記バッテリ管理ユニットは、前記劣化領域になったと判定した場合に、前記トルクの抑制を要求する抑制フラグを前記制御部に出力し、前記正常領域に復帰したと判定した場合に、前記トルクの抑制の解除を要求する抑制解除フラグを前記制御部に出力し、
前記制御部は、前記抑制フラグに応じて、前記通常マップにしたがった前記トルクの制御から前記抑制マップにしたがった前記トルクの制御への切り替えを行い、前記抑制解除フラグに応じて、前記抑制マップにしたがった前記トルクの制御から前記通常マップにしたがった前記トルクの制御への切り替えを行うことを特徴とする請求項９に記載の電動車両。
【請求項１１】
前記車輪と前記モータとがクラッチを介さずに機械的に接続されていることを特徴とする請求項１に記載の電動車両。
【請求項１２】
充放電可能なバッテリと、
前記バッテリから供給された電力によって車輪を駆動するためのトルクを出力するモータと、
前記バッテリの充電状態が閾値より大きい正常領域から前記閾値以下の劣化領域になったか否かの判定または前記充電状態が前記劣化領域から前記正常領域に復帰したか否かの判定を行う劣化復帰判定部と、を備える電動車両を制御する電動車両制御装置であって、
ユーザのアクセル操作に応じて前記バッテリから前記モータに供給される電力を制御することで、前記モータから出力されるトルクを制御する制御部を備え、
前記制御部は、
前記正常領域においては、前記正常領域における、前記トルク、前記モータの回転速度、およびアクセル操作量の対応関係を示す通常マップにしたがって前記トルクを制御し、
前記劣化領域においては、前記劣化領域における、前記トルク、前記回転速度、および前記アクセル操作量の対応関係を示す抑制マップにしたがって、前記正常領域における前記トルクよりも抑制されるように前記トルクを制御し、
前記劣化領域になったと判定された場合に、前記劣化領域になったと判定された劣化判定時から前記劣化領域になった場合における前記トルクの制御の切り替えに要する時間である劣化時切替時間をかけて、前記通常マップにしたがった前記トルクの制御から、前記抑制マップにしたがった前記トルクの制御への切り替えを行うことを特徴とする電動車両制御装置。
【請求項１３】
充放電可能なバッテリと、
前記バッテリから供給された電力によって車輪を駆動するためのトルクを出力するモータと、
前記バッテリの充電状態が閾値より大きい正常領域から前記閾値以下の劣化領域になったか否かの判定または前記充電状態が前記劣化領域から前記正常領域に復帰したか否かの判定を行う劣化復帰判定部と、を備える電動車両を制御する電動車両制御方法であって、
前記正常領域において、前記正常領域における、前記トルク、前記モータの回転速度、およびアクセル操作量の対応関係を示す通常マップにしたがって前記トルクを制御するステップと、
前記劣化領域において、前記劣化領域における、前記トルク、前記回転速度、および前記アクセル操作量の対応関係を示す抑制マップにしたがって、前記正常領域における前記トルクよりも抑制されるように前記トルクを制御するステップと、
前記劣化領域になったと判定された場合に、前記劣化領域になったと判定された劣化判定時から前記劣化領域になった場合における前記トルクの制御の切り替えに要する時間である劣化時切替時間をかけて、前記通常マップにしたがった前記トルクの制御から、前記抑制マップにしたがった前記トルクの制御への切り替えを行うステップと、を備えることを特徴とする電動車両制御方法。
【発明の詳細な説明】
【技術分野】
【０００１】
本発明は、電動車両、電動車両制御装置および電動車両制御方法に関する。
【背景技術】
【０００２】
リチウムバッテリなどのバッテリは、所定の閾値以下の充電状態の領域（以下、劣化領域とも呼ぶ）で使用し続けると、充電しても充電状態が完全には回復しない劣化が促進する可能性がある。【０００３】
このようなバッテリで駆動されるモータを動力とした電動二輪車において、バッテリの劣化を抑制するためには、例えば、バッテリの充電状態が劣化領域になった場合にモータが出力するトルクを抑制し、充電状態が劣化領域から既述した閾値より大きい領域（以下、正常領域とも呼ぶ）に復帰した場合にトルクの抑制を解除することが考えられる。【０００４】
しかしながら、劣化領域になって直ちにトルクを劣化領域に対応する値に抑制すると、車両の加速が急に悪くなったという感覚を運転者に与える虞がある。このため、従来は、バッテリの充電状態が正常領域と劣化領域との間で切替わったときに運転者に違和感を与える虞があるといった問題があった。【０００５】
なお、特開２０１６‐２２６１１６号公報には、モータの回転数とトルクとｄ軸電流（弱め磁界電流）との関係を規定したＴＮマップに基づいてトルクを制御する技術が開示されている。しかしながら、特開２０１６‐２２６１１６号公報に開示されている技術は、弱め界磁の範囲を適切に認識して、小さなバッテリから最大限の出力を取り出す技術であり、充電状態が正常領域と劣化領域との間で切替わったときに運転者に違和感を与えることを防止する技術とは異なる。
【発明の開示】
【発明が解決しようとする課題】
【０００６】
そこで、本発明は、バッテリの充電状態が正常領域と劣化領域との間で切替わったときに運転者に違和感を与えることを防止することが可能な電動車両、電動車両制御装置および電動車両制御方法を提供することを目的とする。
【課題を解決するための手段】
【０００７】
本発明の一態様に係る電動車両は、
充放電可能なバッテリと、
前記バッテリから供給された電力によって車輪を駆動するためのトルクを出力するモータと、
前記バッテリの充電状態が閾値より大きい正常領域から前記閾値以下の劣化領域になったか否かの判定または前記充電状態が前記劣化領域から前記正常領域に復帰したか否かの判定を行う劣化復帰判定部と、
ユーザのアクセル操作に応じて前記バッテリから前記モータに供給される電力を制御することで、前記モータから出力されるトルクを制御する制御部と、を備え、
前記制御部は、
前記正常領域においては、前記正常領域における、前記トルク、前記モータの回転速度、およびアクセル操作量の対応関係を示す通常マップにしたがって前記トルクを制御し、
前記劣化領域においては、前記劣化領域における、前記トルク、前記回転速度、および前記アクセル操作量の対応関係を示す抑制マップにしたがって、前記正常領域における前記トルクよりも抑制されるように前記トルクを制御し、
前記劣化領域になったと判定された場合に、前記劣化領域になったと判定された劣化判定時から前記劣化領域になった場合における前記トルクの制御の切り替えに要する時間である劣化時切替時間をかけて、前記通常マップにしたがった前記トルクの制御から、前記抑制マップにしたがった前記トルクの制御への切り替えを行う。【０００８】
また、前記電動車両において、
前記制御部は、前記正常領域に復帰したと判定された場合に、前記正常領域に復帰したと判定された復帰判定時から前記正常領域に復帰した場合における前記トルクの制御の切り替えに要する時間である復帰時切替時間をかけて、前記抑制マップにしたがった前記トルクの制御から、前記通常マップにしたがった前記トルクの制御への切り替えを行ってもよい。【０００９】
また、前記電動車両において、
前記復帰時切替時間は、前記劣化時切替時間と異なってもよい。【００１０】
また、前記電動車両において、
前記復帰時切替時間は、前記劣化時切替時間より短くてもよい。【００１１】
また、前記電動車両において、
前記制御部は、
前記劣化領域になったと判定された場合に、前記劣化判定時の前記回転速度および前記アクセル操作量に対応する前記通常マップ上のトルクである劣化時切替元トルクと、前記劣化判定時の前記回転速度および前記アクセル操作量に対応する前記抑制マップ上のトルクである劣化時切替先トルクとの差分を算出し、
前記算出された前記劣化時切替元トルクと前記劣化時切替先トルクとの差分に応じた長さの前記劣化時切替時間を設定し、
前記設定された劣化時切替時間をかけて前記劣化時切替元トルクから前記劣化時切替先トルクに切り替える制御を行ってもよい。【００１２】
また、前記電動車両において、
前記制御部は、
前記劣化時切替元トルクと前記劣化時切替先トルクとの差分を前記劣化時切替時間で除した値を係数とした一次関数にしたがった変化量で前記トルクを変化させる制御を行うことで、前記劣化時切替時間をかけて前記劣化時切替元トルクから前記劣化時切替先トルクに切り替える制御を行ってもよい。【００１３】
また、前記電動車両において、
前記制御部は、
前記正常領域に復帰したと判定された場合に、前記復帰判定時の前記回転速度および前記アクセル操作量に対応する前記抑制マップ上のトルクである復帰時切替元トルクと、前記復帰判定時の前記回転速度および前記アクセル操作量に対応する前記通常マップ上のトルクである復帰時切替先トルクとの差分を算出し、
前記算出された前記復帰時切替元トルクと前記復帰時切替先トルクとの差分に応じた長さの前記復帰時切替時間を設定し、
前記設定された復帰時切替時間をかけて前記復帰時切替元トルクから前記復帰時切替先トルクに切り替える制御を行ってもよい。【００１４】
また、前記電動車両において、
前記制御部は、
前記復帰時切替元トルクと前記復帰時切替先トルクとの差分を前記復帰時切替時間で除した値を係数とした一次関数にしたがった変化量で前記トルクを変化させる制御を行うことで、前記復帰時切替時間をかけて前記復帰時切替元トルクから前記復帰時切替先トルクに切り替える制御を行ってもよい。【００１５】
また、前記電動車両において、
前記劣化復帰判定部は、前記バッテリの状態を定期的に監視するバッテリ管理ユニットであってもよい。【００１６】
また、前記電動車両において、
前記バッテリ管理ユニットは、前記劣化領域になったと判定した場合に、前記トルクの抑制を要求する抑制フラグを前記制御部に出力し、前記正常領域に復帰したと判定した場合に、前記トルクの抑制の解除を要求する抑制解除フラグを前記制御部に出力し、
前記制御部は、前記抑制フラグに応じて、前記通常マップにしたがった前記トルクの制御から前記抑制マップにしたがった前記トルクの制御への切り替えを行い、前記抑制解除フラグに応じて、前記抑制マップにしたがった前記トルクの制御から前記通常マップにしたがった前記トルクの制御への切り替えを行ってもよい。【００１７】
また、前記電動車両において、
前記車輪と前記モータとがクラッチを介さずに機械的に接続されていてもよい。【００１８】
本発明の一態様に係る電動車両制御装置は、
充放電可能なバッテリと、
前記バッテリから供給された電力によって車輪を駆動するためのトルクを出力するモータと、
前記バッテリの充電状態が閾値より大きい正常領域から前記閾値以下の劣化領域になったか否かの判定または前記充電状態が前記劣化領域から前記正常領域に復帰したか否かの判定を行う劣化復帰判定部と、を備える電動車両を制御する電動車両制御装置であって、
ユーザのアクセル操作に応じて前記バッテリから前記モータに供給される電力を制御することで、前記モータから出力されるトルクを制御する制御部を備え、
前記制御部は、
前記正常領域においては、前記正常領域における、前記トルク、前記モータの回転速度、およびアクセル操作量の対応関係を示す通常マップにしたがって前記トルクを制御し、
前記劣化領域においては、前記劣化領域における、前記トルク、前記回転速度、および前記アクセル操作量の対応関係を示す抑制マップにしたがって、前記正常領域における前記トルクよりも抑制されるように前記トルクを制御し、
前記劣化領域になったと判定された場合に、前記劣化領域になったと判定された劣化判定時から前記劣化領域になった場合における前記トルクの制御の切り替えに要する時間である劣化時切替時間をかけて、前記通常マップにしたがった前記トルクの制御から、前記抑制マップにしたがった前記トルクの制御への切り替えを行う。【００１９】
本発明の一態様に係る電動車両制御方法は、
充放電可能なバッテリと、
前記バッテリから供給された電力によって車輪を駆動するためのトルクを出力するモータと、
前記バッテリの充電状態が閾値より大きい正常領域から前記閾値以下の劣化領域になったか否かの判定または前記充電状態が前記劣化領域から前記正常領域に復帰したか否かの判定を行う劣化復帰判定部と、を備える電動車両を制御する電動車両制御方法であって、
前記正常領域において、前記正常領域における、前記トルク、前記モータの回転速度、およびアクセル操作量の対応関係を示す通常マップにしたがって前記トルクを制御するステップと、
前記劣化領域において、前記劣化領域における、前記トルク、前記回転速度、および前記アクセル操作量の対応関係を示す抑制マップにしたがって、前記正常領域における前記トルクよりも抑制されるように前記トルクを制御するステップと、
前記劣化領域になったと判定された場合に、前記劣化領域になったと判定された劣化判定時から前記劣化領域になった場合における前記トルクの制御の切り替えに要する時間である劣化時切替時間をかけて、前記通常マップにしたがった前記トルクの制御から、前記抑制マップにしたがった前記トルクの制御への切り替えを行うステップと、を備える。
【発明の効果】
【００２０】
本発明の一態様に係る電動車両は、充放電可能なバッテリと、バッテリから供給された電力によって車輪を駆動するためのトルクを出力するモータと、バッテリの充電状態が閾値より大きい正常領域から閾値以下の劣化領域になったか否かの判定または充電状態が劣化領域から正常領域に復帰したか否かの判定を行う劣化復帰判定部と、ユーザのアクセル操作に応じてバッテリからモータに供給される電力を制御することで、モータから出力されるトルクを制御する制御部と、を備え、制御部は、正常領域においては、正常領域における、トルク、モータの回転速度、およびアクセル操作量の対応関係を示す通常マップにしたがってトルクを制御し、劣化領域においては、劣化領域における、トルク、回転速度、およびアクセル操作量の対応関係を示す抑制マップにしたがって、正常領域におけるトルクよりも抑制されるようにトルクを制御し、劣化領域になったと判定された場合に、劣化領域になったと判定された劣化判定時から劣化領域になった場合におけるトルクの制御の切り替えに要する時間である劣化時切替時間をかけて、通常マップにしたがったトルクの制御から、抑制マップにしたがったトルクの制御への切り替えを行う。【００２１】
このように、本発明によれば、バッテリの充電状態が正常領域から劣化領域になったと判定された場合に、劣化領域になったと判定された劣化判定時から劣化時切替時間をかけて、通常マップにしたがったトルクの制御から抑制マップにしたがったトルクの制御への切り替えを行うことができる。【００２２】
これにより、バッテリの充電状態が正常領域と劣化領域との間で切替わったときに運転者に違和感を与えることを防止することができる。
【図面の簡単な説明】
【００２３】
【図１】実施形態に係る電動二輪車１００を示す図である。
【図２】実施形態に係る電動二輪車１００において、電力変換部３０およびモータ３を示す図である。
【図３】実施形態に係る電動二輪車１００において、モータ３のロータに設けられた磁石、およびアングルセンサ４を示す図である。
【図４】実施形態に係る電動二輪車１００において、ロータアングルと、アングルセンサ４の出力との関係を示す図である。
【図５】実施形態に係る電動二輪車１００の制御方法を示すフローチャートである。
【図６】実施形態に係る電動二輪車１００の制御方法において、トルクマップの切替を説明するための説明図である。
【発明を実施するための形態】
【００２４】
以下、図面を参照して本発明に係る実施形態を説明する。なお、以下に示す実施形態は、本発明を限定するものではない。また、実施形態で参照する図面において、同一部分または同様な機能を有する部分には同一の符号または類似の符号を付し、その繰り返しの説明は省略する。
【００２５】
まず、図１を参照して、電動車両の一例としての実施形態に係る電動二輪車１００について説明する。電動二輪車１００は、バッテリから供給される電力を用いてモータを駆動することで走行する電動バイク等の電動二輪車である。より詳しくは、電動二輪車１００は、エンジン車やハイブリッド車両とは異なりモータのみを動力とし、モータと車輪がクラッチを介さずに機械的に接続されたクラッチレスの電動二輪車である。なお、本発明に係る電動車両は、これに限定されるものではなく、例えば四輪の車両であってもよい。
【００２６】
電動二輪車１００は、図１に示すように、電動車両制御装置１と、電源部２と、モータ３と、アングルセンサ４と、アクセルポジションセンサ５と、メータ７と、車輪８とを備える。電源部２は、バッテリ２１（すなわち、セル）と、劣化復帰判定部の一例であるバッテリ管理ユニット（ＢＭＵ）２２とを有する。
【００２７】
以下、電動二輪車１００の各構成要素について詳しく説明する。
【００２８】
電動車両制御装置１は、電動二輪車１００を制御する装置であり、制御部１０と、記憶部２０と、電力変換部３０とを有している。なお、電動車両制御装置１は、電動二輪車１００全体を統御するＥＣＵ（Ｅｌｅｃｔｒｏｎｉｃ  Ｃｏｎｔｒｏｌ  Ｕｎｉｔ）として構成されてもよい。次に、電動車両制御装置１の各構成要素について詳しく説明する。
【００２９】
制御部１０は、電動車両制御装置１に接続された各種装置から情報を入力するとともに、電力変換部３０を介してモータ３を駆動制御する。制御部１０の詳細については後述する。
【００３０】
記憶部２０は、制御部１０が用いる情報や、制御部１０が動作するためのプログラムを記憶する。この記憶部２０は、例えば不揮発性の半導体メモリであるが、これに限定されない。
【００３１】
電力変換部３０は、バッテリ２１の直流電力を交流電力に変換してモータ３に供給する。この電力変換部３０は、図２に示すように、３相のフルブリッジ回路で構成されている。半導体スイッチＱ１，Ｑ３，Ｑ５はハイサイドスイッチであり、半導体スイッチＱ２，Ｑ４，Ｑ６はローサイドスイッチである。半導体スイッチＱ１〜Ｑ６の制御端子は、制御部１０に電気的に接続されている。電源端子３０ａと電源端子３０ｂとの間には平滑コンデンサＣが設けられている。半導体スイッチＱ１〜Ｑ６は、例えばＭＯＳＦＥＴまたはＩＧＢＴ等である。
【００３２】
半導体スイッチＱ１は、図２に示すように、バッテリ２１の正極が接続された電源端子３０ａと、モータ３の入力端子３ａとの間に接続されている。同様に、半導体スイッチＱ３は、電源端子３０ａと、モータ３の入力端子３ｂとの間に接続されている。半導体スイッチＱ５は、電源端子３０ａと、モータ３の入力端子３ｃとの間に接続されている。
【００３３】
半導体スイッチＱ２は、モータ３の入力端子３ａと、バッテリ２１の負極が接続された電源端子３０ｂとの間に接続されている。同様に、半導体スイッチＱ４は、モータ３の入力端子３ｂと、電源端子３０ｂとの間に接続されている。半導体スイッチＱ６は、モータ３の入力端子３ｃと、電源端子３０ｂとの間に接続されている。なお、入力端子３ａはＵ相の入力端子であり、入力端子３ｂはＶ相の入力端子であり、入力端子３ｃはＷ相の入力端子である。
【００３４】
バッテリ２１は、充放電可能である。具体的には、バッテリ２１は、放電時に電力変換部３０に直流電力を供給する。また、バッテリ２１は、商用電源等の図示しない外部電源から供給された交流電力による充電時に、外部電源から供給された電力で充電される。
【００３５】
また、バッテリ２１は、モータ３が出力する交流電力（すなわち、起電力）による回生充電時に、モータ３が出力した交流電力を電力変換部３０で変換した直流電圧によって充電される。
【００３６】
バッテリ２１の数は一つに限らず、複数であってもよい。バッテリ２１は、例えばリチウムイオン電池であるが、他の種類のバッテリであってもよい。バッテリ２１は、異なる種類（例えば、リチウムイオン電池と鉛電池）のバッテリから構成されてもよい。
【００３７】
バッテリ管理ユニット２２は、バッテリ２１の電圧やバッテリ２１の充電状態などのバッテリ２１の状態を定期的に監視し、バッテリ２１の状態関する情報を制御部１０に送信する。
【００３８】
また、バッテリ管理ユニット２２は、バッテリ２１の充電状態が予め設定された閾値より大きい正常領域から閾値以下の劣化領域になったか否かの判定（以下、劣化判定とも呼ぶ）を行う。
【００３９】
また、バッテリ管理ユニット２２は、バッテリ２１の充電状態が劣化領域から正常領域に復帰したか否かの判定（以下、復帰判定とも呼ぶ）を行う。
【００４０】
モータ３は、バッテリ２１から供給された電力によって車輪８を駆動するためのトルクを出力する。
【００４１】
具体的には、モータ３は、電力変換部３０から供給される交流電力により駆動されることで、車輪８を駆動するためのトルクを出力する。トルクは、制御部１０が電力変換部３０の半導体スイッチＱ１〜Ｑ６に目標トルクに基づいて算出された通電タイミングとデューティ比を有するＰＷＭ信号を出力することで制御されてもよい。このモータ３は、車輪８に機械的に接続されており、トルクによって所望の方向に車輪８を回転させる。本実施形態では、モータ３は、クラッチを介さずに車輪８に機械的に接続されている。なお、モータ３の種類は特に限定されない。
【００４２】
また、モータ３は、モータ３の回転速度の減少時または外力によるモータ３の回転時に、交流電力を出力する。
【００４３】
例えば、モータ３は、車両の走行中にブレーキがかけられることで車輪８とともにモータ３の回転が減速されたときに、交流電力を出力する。また、モータ３は、バッテリ２１からモータ３に電力が供給されていない状態において車両が慣性によって走行する場合や坂道（下り坂）を走行する場合に、車輪８の回転にしたがって回転することで交流電力を出力する。
【００４４】
モータ３が出力した交流電力は、電力変換部３０によって直流電力に変換され、変換された直流電力でバッテリ２１が回生充電される。
【００４５】
アングルセンサ４は、モータ３のロータの回転角度を検出するセンサである。言い換えれば、アングルセンサ４は、モータ３の回転速度を検出するためのセンサである。図３に示すように、モータ３のロータの周面には、Ｎ極とＳ極の磁石（センサマグネット）が交互に取り付けられている。アングルセンサ４は、例えばホール素子により構成されており、モータ３の回転に伴う磁場の変化を検出する。なお、磁石は、フライホイール（図示せず）の内側に設けられてもよい。
【００４６】
図３に示すように、アングルセンサ４は、Ｕ相アングルセンサ４ｕと、Ｖ相アングルセンサ４ｖと、Ｗ相アングルセンサ４ｗとを有している。本実施形態では、Ｕ相アングルセンサ４ｕとＶ相アングルセンサ４ｖとはモータ３のロータに対して３０°の角度をなすように配置されている。同様に、Ｖ相アングルセンサ４ｖとＷ相アングルセンサ４ｗとはモータ３のロータに対して３０°の角度をなすように配置されている。
【００４７】
図４に示すように、Ｕ相アングルセンサ４ｕ、Ｖ相アングルセンサ４ｖおよびＷ相アングルセンサ４ｗは、ロータアングル（角度位置）に応じた位相のパルス信号を出力する。
【００４８】
また、図４に示すように、所定のロータアングルごとに、ロータステージを示す番号（ロータステージ番号）が割り振られている。ロータステージはモータ３のロータの角度位置を示しており、本実施形態では、電気角で６０°ごとにロータステージ番号１，２，３，４，５，６が割り振られている。ロータステージは、Ｕ相アングルセンサ４ｕ、Ｖ相アングルセンサ４ｖおよびＷ相アングルセンサ４ｗの出力信号のレベル（ＨレベルまたはＬレベル）の組合せにより定義されている。例えば、ロータステージ番号１は（Ｕ相、Ｖ相、Ｗ相）＝（Ｈ，Ｌ，Ｈ）であり、ロータステージ番号２は（Ｕ相、Ｖ相、Ｗ相）＝（Ｈ，Ｌ，Ｌ）である。
【００４９】
アクセルポジションセンサ５は、ユーザのアクセル操作により設定されたアクセル操作量を検知し、検知されたアクセル操作量を電気信号として制御部１０に送信する。ユーザが加速したい場合に、アクセル操作量は大きくなる。アクセル操作量は、例えば、車両のアクセルグリップの回転操作量〔°〕であってもよいが、これに限定されない。
【００５０】
メータ７は、電動二輪車１００に設けられたディスプレイ（例えば液晶パネル）であり、各種情報を表示する。具体的には、電動二輪車１００の走行速度、バッテリ２１の残量、現在時刻、走行距離などの情報がメータ７に表示される。本実施形態では、メータ７は、電動二輪車１００のハンドル（図示せず）に設けられる。
【００５１】
なお、バッテリ管理ユニット２２は、モータ３が出力した電力によるバッテリ２１の回生充電を制御してもよい。
【００５２】
例えば、バッテリ管理ユニット２２は、アングルセンサ４のパルス信号に基づいて算出されたモータ３の回転速度が減速を示す場合、モータ３から出力された電力でバッテリ２１を回生充電する制御を行ってもよい。また、バッテリ管理ユニット２２は、例えば、アングルセンサ４のパルス信号が閾値以上且つアクセルポジションセンサ５の操作量が閾値以下であることに基づいて、車両の坂道走行状態または慣性走行状態を検出してもよい。そして、バッテリ管理ユニット２２は、車両の坂道走行状態または慣性走行状態が検出された場合に、モータ３から出力された電力でバッテリ２１を回生充電する制御を行ってもよい。なお、バッテリ管理ユニット２２に代わり、または、バッテリ管理ユニット２２とともに、制御部１０が回生充電を制御してもよい。
【００５３】
次に、制御部１０について詳しく説明する。
【００５４】
制御部１０は、ユーザのアクセル操作に応じてバッテリ２１からモータ３に供給される電力を制御することで、モータ３から出力されるトルクを制御する。
【００５５】
例えば、制御部１０は、目標トルクに基づいて算出された通電タイミングおよびデューティ比を有するＰＷＭ信号を生成し、生成されたＰＷＭ信号を半導体スイッチＱ１〜Ｑ６に出力する。これにより、モータ３は、目標トルクを出力するように駆動される。
【００５６】
本実施形態において、制御部１０は、正常領域においては、正常領域における、トルク、モータ３の回転速度、およびアクセル操作量の対応関係を示す通常マップにしたがって、トルクを制御する。
【００５７】
例えば、制御部１０は、アングルセンサ４のパルス信号に基づいて検出されたモータ３の回転速度と、アクセルポジションセンサ５で検出されたアクセル操作量とに対応するトルクを通常マップから特定する。そして、制御部１０は、特定されたトルクを目標トルクとしたＰＷＭ信号を半導体スイッチＱ１〜Ｑ６に出力することで、通常マップにしたがったトルクの制御を行う。
【００５８】
また、制御部１０は、劣化領域においては、劣化領域における、トルク、回転速度、およびアクセル操作量の対応関係を示す抑制マップにしたがって、正常領域におけるトルクよりも抑制されるようにトルクを制御する。
【００５９】
例えば、制御部１０は、アングルセンサ４のパルス信号に基づいて検出されたモータ３の回転速度と、アクセルポジションセンサ５で検出されたアクセル操作量とに対応するトルクを抑制マップから特定する。そして、制御部１０は、特定されたトルクを目標トルクとしたＰＷＭ信号を半導体スイッチＱ１〜Ｑ６に出力することで、抑制マップにしたがったトルクの制御を行う。
【００６０】
より具体的には、制御部１０は、バッテリ管理ユニット２２の劣化判定によって充電状態が劣化領域になったと判定された場合に、劣化領域になったと判定された劣化判定時から劣化領域になった場合におけるトルクの制御の切り替えに要する時間である劣化時切替時間をかけて、通常マップにしたがったトルクの制御から、抑制マップにしたがったトルクの制御への切り替えを行う。
【００６１】
例えば、バッテリ管理ユニット２２は、劣化領域になったと判定した場合に、トルクの抑制を要求する抑制フラグを制御部１０に出力する。そして、制御部１０は、抑制フラグに応じて、通常マップにしたがったトルクの制御から抑制マップにしたがったトルクの制御への切り替えを行う。
【００６２】
また、制御部１０は、バッテリ管理ユニット２２の復帰判定によって正常領域に復帰したと判定された場合に、正常領域に復帰したと判定された復帰判定時から正常領域に復帰した場合におけるトルクの制御の切り替えに要する時間である復帰時切替時間をかけて、抑制マップにしたがったトルクの制御から、通常マップにしたがったトルクの制御への切り替えを行う。
【００６３】
例えば、バッテリ管理ユニット２２は、正常領域に復帰したと判定した場合に、トルクの抑制の解除を要求する抑制解除フラグを制御部１０に出力する。そして、制御部１０は、抑制解除フラグに応じて、抑制マップにしたがったトルクの制御から通常マップにしたがったトルクの制御への切り替えを行う。
【００６４】
より具体的には、復帰時切替時間は、劣化時切替時間と異なる。より詳しくは、復帰時切替時間は、劣化時切替時間より短い。
【００６５】
また、制御部１０は、劣化領域になったと判定された場合に、劣化判定時のモータ３の回転速度およびアクセル操作量に対応する通常マップ上のトルクである劣化時切替元トルクと、劣化判定時のモータ３の回転速度およびアクセル操作量に対応する抑制マップ上のトルクである劣化時切替先トルクとの差分を算出してもよい。
【００６６】
この場合、制御部１０は、算出された劣化時切替元トルクと劣化時切替先トルクとの差分に応じた長さの劣化時切替時間を設定してもよい。そして、制御部１０は、設定された劣化時切替時間をかけて劣化時切替元トルクから劣化時切替先トルクに切り替える制御を行ってもよい。
【００６７】
この場合、制御部１０は、劣化時切替元トルクと劣化時切替先トルクとの差分を劣化時切替時間で除した値を係数とした一次関数にしたがった変化量でトルクを変化させる制御を行うことで、劣化時切替時間をかけて劣化時切替元トルクから劣化時切替先トルクに切り替える制御を行ってもよい。
【００６８】
なお、制御部１０は、一次関数以外の関数（例えば、二次関数等）にしたがった変化量でトルクを変化させる制御を行うことで、劣化時切替時間をかけて劣化時切替元トルクから劣化時切替先トルクに切り替える制御を行ってもよい。また、関数にしたがったトルクの変化は、階段状の変化であってもよい。
【００６９】
また、制御部１０は、正常領域に復帰したと判定された場合に、復帰判定時のモータ３の回転速度およびアクセル操作量に対応する抑制マップ上のトルクである復帰時切替元トルクと、復帰判定時のモータ３の回転速度およびアクセル操作量に対応する通常マップ上のトルクである復帰時切替先トルクとの差分を算出してもよい。
【００７０】
この場合、制御部１０は、算出された復帰時切替元トルクと復帰時切替先トルクとの差分に応じた長さの復帰時切替時間を設定してもよい。そして、制御部１０は、設定された復帰時切替時間をかけて復帰時切替元トルクから復帰時切替先トルクに切り替える制御を行ってもよい。
【００７１】
この場合、制御部１０は、復帰時切替元トルクと復帰時切替先トルクとの差分を復帰時切替時間で除した値を係数とした一次関数にしたがった変化量でトルクを変化させる制御を行うことで、復帰時切替時間をかけて復帰時切替元トルクから復帰時切替先トルクに切り替える制御を行ってもよい。
【００７２】
なお、制御部１０は、一次関数以外の関数（例えば、二次関数等）にしたがった変化量でトルクを変化させる制御を行うことで、復帰時切替時間をかけて復帰時切替元トルクから復帰時切替先トルクに切り替える制御を行ってもよい。
【００７３】
（電動二輪車１００の制御方法）
以下、図５のフローチャートおよび図６の説明図を参照して、電動車両制御方法の一例として、電動二輪車１００の制御方法について説明する。なお、図５のフローチャートは、必要に応じて繰り返される。
【００７４】
図５の例において、先ず、制御部１０は、通常マップにしたがったモータ３のトルク制御を開始する（ステップＳ１）。
【００７５】
通常マップにしたがったトルク制御を開始した後、バッテリ管理ユニット２２は、バッテリ２１の充電状態の取得を開始する（ステップＳ２）。
【００７６】
充電状態の取得を開始した後、バッテリ管理ユニット２２は、劣化領域になったか否かの判定（劣化判定）を行う（ステップＳ３）。
【００７７】
そして、劣化領域になった場合（ステップＳ３：Ｙｅｓ）、バッテリ管理ユニット２２は、制御部１０に抑制フラグを出力する（ステップＳ４）。一方、劣化領域にならなかった場合（ステップＳ３：Ｎｏ）、バッテリ管理ユニット２２は、通常マップにしたがったモータ３のトルク制御を繰り返す（ステップＳ１）。
【００７８】
抑制フラグの出力に応じて、制御部１０は、通常マップ上の劣化時切替元トルクＴ１と、抑制マップ上の劣化時切替先トルクＴ２との差分を算出する（ステップＳ５）。なお、図６には、通常マップ上の劣化時切替元トルクＴ１および抑制マップ上の劣化時切替先トルクＴ２が模式的に示されている。
【００７９】
劣化時切替元トルクＴ１と劣化時切替先トルクＴ２との差分を算出した後、制御部１０は、算出された差分に応じた長さの劣化時切替時間ｔ１を設定する（ステップＳ６）。例えば、劣化時切替時間ｔ１は、劣化時切替元トルクＴ１と劣化時切替先トルクＴ２との差分に比例する時間である。
【００８０】
劣化時切替時間ｔ１を設定した後、制御部１０は、設定された劣化時切替時間ｔ１をかけた劣化時切替元トルクＴ１から劣化時切替先トルクＴ２への切替を行う（ステップＳ７、図６）。
【００８１】
このとき、制御部１０は、以下の数式（１）に示す１次関数にしたがった変化量で、劣化時切替時間ｔ１をかけて劣化時切替元トルクＴ１から劣化時切替先トルクＴ２までトルクを変化させる制御を行ってもよい。
Ｔ１２＝Ｔ１＋（Ｄ１／ｔ１）×ｔ      （１）
但し、Ｔ１２は、劣化時切替元トルクＴ１から劣化時切替先トルクＴ２に切り替えるまでのトルクである。Ｄ１は、劣化時切替元トルクＴ１と劣化時切替先トルクＴ２との差分（Ｔ２−Ｔ１）である。ｔは、劣化判定時からの経過時間であり、最大値は、劣化時切替時間ｔ１である。
【００８２】
劣化時切替時間ｔ１をかけて劣化時切替元トルクＴ１から劣化時切替先トルクＴ２への切替を行った後、制御部１０は、抑制マップにしたがったトルク制御を開始する（ステップＳ８）。
【００８３】
抑制マップにしたがったトルク制御を開始した後、バッテリ管理ユニット２２は、正常領域に復帰したか否かの判定（復帰判定）を行う（ステップＳ９）。走行中に劣化領域から正常領域に復帰する場合としては、例えば、回生充電が行われた場合や、バッテリ２１からモータ３への電力供給が一時的に停止された場合等が挙げられる。
【００８４】
そして、正常領域に復帰した場合（ステップＳ９：Ｙｅｓ）、バッテリ管理ユニット２２は、制御部１０に抑制解除フラグを出力する（ステップＳ１０）。一方、正常領域に復帰しなかった場合（ステップＳ９：Ｎｏ）、バッテリ管理ユニット２２は、抑制マップにしたがったトルク制御を繰り返す（ステップＳ８）。
【００８５】
抑制解除フラグの出力に応じて、制御部１０は、抑制マップ上の復帰時切替元トルクＴ３と、通常マップ上の復帰時切替先トルクＴ４との差分を算出する（ステップＳ１１）。なお、図６には、復帰時切替元トルクＴ３および復帰時切替先トルクＴ４が模式的に示されている。
【００８６】
復帰時切替元トルクＴ３と復帰時切替先トルクＴ４との差分を算出した後、制御部１０は、算出された差分に応じた長さの復帰時切替時間ｔ２を設定する（ステップＳ１２）。例えば、復帰時切替時間ｔ２は、復帰時切替元トルクＴ３と復帰時切替先トルクＴ４との差分に比例する時間である。
【００８７】
復帰時切替時間ｔ２を設定した後、制御部１０は、設定された復帰時切替時間ｔ２をかけた復帰時切替元トルクＴ３から復帰時切替先トルクＴ４への切替を行う（ステップＳ１３、図６）。
【００８８】
このとき、制御部１０は、以下の数式（２）に示す１次関数にしたがった変化量で、復帰時切替時間ｔ２をかけて復帰時切替元トルクＴ３から復帰時切替先トルクＴ４までトルクを変化させる制御を行ってもよい。
Ｔ３４＝Ｔ３＋（Ｄ２／ｔ２）×ｔ      （２）
但し、Ｔ３４は、復帰時切替元トルクＴ３から復帰時切替先トルクＴ４に切り替えるまでのトルクである。Ｄ２は、復帰時切替元トルクＴ３と復帰時切替先トルクＴ４との差分（Ｔ４−Ｔ３）である。ｔは、復帰判定時からの経過時間であり、最大値は、復帰時切替時間ｔ２である。
【００８９】
以下、実施形態によってもたらされる作用について説明する。
【００９０】
エンジン車やハイブリット車両と異なり、モータ３のみを動力とした電動二輪車１００は、バッテリ２１の充電状態が車両の走行性能に与える影響が大きく、バッテリ２１の充電状態が劣化領域と正常領域との間で切替わった場合の違和感が大きくなり得る。
【００９１】
しかるに、本実施形態によれば、上述したように、劣化領域になったと判定された場合に、制御部１０が、劣化判定時から劣化時切替時間ｔ１をかけて、通常マップにしたがったトルクの制御から、抑制マップにしたがったトルクの制御への切り替えを行う。
【００９２】
これにより、電動二輪車１００において、バッテリの充電状態が正常領域と劣化領域との間で切替わったときに運転者に違和感を与えることを防止することができる。具体的には、充電状態が正常領域から劣化領域に切り替わったときに、運転者に加速感の低下による違和感を与えることを防止することができる。
【００９３】
また、上述したように、制御部１０は、正常領域に復帰したと判定された場合に、復帰判定時から復帰時切替時間ｔ２をかけて、抑制マップにしたがったトルクの制御から、通常マップにしたがったトルクの制御への切り替えを行う。
【００９４】
これにより、バッテリの充電状態が劣化領域から正常領域に切替わったときに運転者に違和感を与えることを防止することができる。
【００９５】
また、上述したように、復帰時切替時間ｔ２は、劣化時切替時間ｔ１より短い。トルクが低下するときに運転者に与える違和感よりも、トルクが増加するときに運転者に与える違和感の方が小さい。このため、復帰時切替時間ｔ２を劣化時切替時間ｔ１より短くすることで、違和感を抑制しつつ、アクセル操作に応じたユーザの所望する速度まで迅速に車両を加速させることができる。
【００９６】
また、上述したように、制御部１０は、劣化領域になったと判定された場合に、劣化時切替元トルクＴ１と劣化時切替先トルクＴ２との差分に応じた長さの劣化時切替時間ｔ１を設定し、設定された劣化時切替時間ｔ１をかけて劣化時切替元トルクＴ１から劣化時切替先トルクＴ２に切り替える制御を行う。
【００９７】
これにより、劣化時切替元トルクＴ１と劣化時切替先トルクＴ２との差分に応じた十分な長さの劣化時切替時間ｔ１をかけて、劣化時切替元トルクＴ１から劣化時切替先トルクＴ２に切り替えることができるので、正常領域から劣化領域に切り替わったときに運転者に違和感を与えることを更に有効に防止することができる。
【００９８】
また、上述したように、制御部１０は、劣化時切替元トルクＴ１と劣化時切替先トルクＴ２との差分Ｄ１を劣化時切替時間ｔ１で除した値を係数とした一次関数にしたがった変化量でトルクを変化させる制御を行ってもよい。
【００９９】
これにより、劣化時切替時間ｔ１をかけて劣化時切替元トルクＴ１から劣化時切替先トルクＴ２に切り替える制御を、一次関数にしたがって簡便に行うことができる。
【０１００】
また、上述したように、制御部１０は、正常領域に復帰したと判定された場合に、復帰時切替元トルクＴ３と復帰時切替先トルクＴ４との差分に応じた長さの復帰時切替時間ｔ２を設定し、設定された復帰時切替時間ｔ２をかけて復帰時切替元トルクＴ３から復帰時切替先トルクＴ４に切り替える制御を行う。
【０１０１】
これにより、復帰時切替元トルクＴ３と復帰時切替先トルクＴ４との差分に応じた十分な長さの復帰時切替時間ｔ２をかけて、復帰時切替元トルクＴ３から復帰時切替先トルクＴ４に切り替えることができるので、劣化領域から正常領域に切り替わったときに運転者に違和感を与えることを更に有効に防止することができる。
【０１０２】
また、上述したように、制御部１０は、復帰時切替元トルクＴ３と復帰時切替先トルクＴ４との差分Ｄ２を復帰時切替時間ｔ２で除した値を係数とした一次関数にしたがった変化量でトルクを変化させる制御を行ってもよい。
【０１０３】
これにより、復帰時切替時間ｔ２をかけて復帰時切替元トルクＴ３から復帰時切替先トルクＴ４に切り替える制御を、一次関数にしたがって簡便に行うことができる。
【０１０４】
また、上述したように、バッテリ管理ユニット２２は、劣化領域になったと判定した場合に、制御部１０に抑制フラグを出力し、正常領域に復帰したと判定した場合に、制御部１０に抑制解除フラグを出力する。制御部１０は、抑制フラグに応じて、通常マップにしたがったトルクの制御から抑制マップにしたがったトルクの制御への切り替えを行い、抑制解除フラグに応じて、抑制マップにしたがったトルクの制御から通常マップにしたがったトルクの制御への切り替えを行う。
【０１０５】
これにより、制御部１０は、フラグに基づいて、トルクの制御に用いるマップを簡便に判断することができるので、制御部１０の処理負荷を軽減することができる。
【０１０６】
上述した実施形態で説明した電動車両制御装置１（制御部１０）の少なくとも一部は、ハードウェアで構成してもよいし、ソフトウェアで構成してもよい。ソフトウェアで構成する場合には、制御部１０の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【０１０７】
また、制御部１０の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【０１０８】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【０１０９】
１  電動車両制御装置
３  モータ
１０  制御部
２１  バッテリ
２２  バッテリ管理ユニット
１００  電動二輪車
【図１】
2019049337.tif 000003
【図２】
2019049337.tif 000004
【図３】
2019049337.tif 000005
【図４】
2019049337.tif 000006
【図５】
2019049337.tif 000007
【図６】
2019049337.tif 000008
【国際調査報告】
2019049337.tif 000009
2019049337.tif 000010
2019049337.tif 000011
2019049337.tif 000012